【手続補正書】
【提出日】平成14年12月13日(2002.12.13)
【手続補正１】
【補正対象書類名】明細書
【補正対象項目名】特許請求の範囲
【補正方法】変更
【補正の内容】
【特許請求の範囲】
【請求項１】
既存のネットワーク通信セッション中に、通信ネットワークにおけるホスト情報に通信するための方法であって、
ネットワークセッション構成がホストに対してトランスペアレントである、コンピュータネットワークセッションを、ゲートウェイ・インタフェースを通じてホストにおいて確立することと、
該既存のネットワークセッションの間に、ユーザに特有の情報・制御コンソールパケットをゲートウェイ・インタフェースにおいて生成することと、
該既存のネットワークセッションの間に、前記ユーザに特有の情報・制御コンソールパケットを前記ゲートウェイ装置からホストに送信することと、
該既存のネットワークセッションの間に、ユーザに特有の予め定められた情報を備えるホストのモニタ上において情報・制御コンソールを生成することと
を含む方法。
【請求項２】
前記ユーザに特有の情報・制御コンソールに含めるためのユーザに特有のデータを決定するために、前記ゲートウェイ・インタフェースとつながっているデータベースと通信することをさらに含む、請求項１に記載の方法。
【請求項３】
前記ユーザに特有のデータは、前記ホストの物理的な場所に関係するデータを含むものである、請求項２に記載の方法。
【請求項４】
前記ユーザに特有のデータは、該ユーザのプロファイルに関係するデータを含むものである、請求項２に記載の方法。
【請求項５】
前記ユーザに照会し、該照会に対するユーザからの応答に基づいて該ユーザのプロファイルを構築することとをさらに含む、請求項４に記載の方法。
【請求項６】
前記ユーザによってアクセスされるネットワーク、サービス、及びサイトをログし、該ログされたデータに基づいて該ユーザのプロファイルを構築することをさらに含む、請求項５に記載の方法。
【請求項７】
前記ユーザに特有の予め定められた情報が、別の使用可能でユーザがアクセスできるネットワークへのリンクを含むものである、請求項１に記載の方法。
【請求項８】
前記ユーザに特有の予め定められた情報が、ユーザによって調整されるマーケティング情報へのリンクを含むものである、請求項１に記載の方法。
【請求項９】
前記ユーザに特有の予め定められた情報が、ユーザによって調整される広告情報に対するリンクを含む、請求項１に記載の方法。
【請求項１０】
前記ユーザに特有の予め定められた情報が、ゲートウェイ管理者調査に対するリンクを含むものである、請求項１に記載の方法。
【請求項１１】
前記ユーザに特有の予め定められた情報が、ネットワーク監視情報を含むものである、請求項１に記載の方法。
【請求項１２】
前記ネットワーク監視情報が、ユーザ料金課金構成、サービスのユーザレベル、現在のネットワーク接続速度、転送されるデータの量、発生した現在の料金、ネットワークセッションの経過時間、日料金課金ゾーンの現在の時間、週間料金課金ゾーンの現在の日数、または現在のネットワークステータスから成り立つグループから選択される少なくとも１種類のネットワーク監視情報を含むものである、請求項１１に記載の方法。
【請求項１３】
情報・制御コンソールの生成に続いて、ホストからゲートウェイ・インタフェースへ情報・制御コンソールのハートビートを送信することをさらに含み、前記情報・制御コンソールがアクティブのまま留まっていることをゲートウェイ・インタフェースに通知するために情報・制御コンソールのハートビートを所定の間隔での送信させる、請求項１に記載の方法。
【請求項１４】
ある所定の期間後に情報・制御コンソールのハートビートを受信できないゲートウェイ・インタフェースに応えて、情報・制御コンソールパケットをホストに再送することをさらに含む、請求項１３に記載の方法。
【請求項１５】
継続中のネットワークセッション中にユーザ料金課金構成を動的に変更する方法であって、
ネットワークセッション構成がホストに対してトランスペアレントである、コンピュータネットワークセッションを、ゲートウェイ・インタフェースを通じてホストにおいて確立することと、
ユーザ料金課金構成に関係する情報を含んでいるゲートウェイ・インタフェースにおいて、ネットワーク監視情報・制御コンソールパケットを前記ネットワークセッションの間に生成することと、
ネットワーク監視情報・制御コンソールパケットを該ネットワークセッションの間にホストへ送信することと、
ネットワーク監視情報・制御コンソールを該ネットワークセッションの間にホストのモニタ上に生成することと、
ネットワーク監視情報・制御コンソールにおいて提供されるネットワーク監視情報へのユーザの応答であって、前記ネットワークセッションに対するユーザ課金構成を変更するという要求を含んでいるものである前記ユーザの応答を、該ゲートウェイインターフェースにおいて受け取ることと
を含む方法。
【請求項１６】
ネットワーク監視情報・制御コンソールパケットを前記ネットワークセッションの間に生成することが、接続速度、伝送されるデータの質、日料金課金ゾーン時間、週料金課金ゾーン時間、またはネットワークセッションの期間からなる群から選択される少なくとも１種類のユーザ料金課金情報に関係する情報を含んでいるものであるネットワーク監視情報・制御コンソールパケットを前記ネットワークセッションの間に生成することをさらに含む、請求項１５に記載の方法。
【請求項１７】
ネットワーク監視情報・制御コンソールの生成に続いて、ホストからゲートウェイ・インタフェースへの情報・制御コンソールのハートビートを送信することをさらに含み、
ポップアップ制御モニタがアクティブのまま留まっていることをゲートインタフェースに通知するために情報・制御コンソールのハートビートを所定の間隔で送信させる、請求項１５に記載の方法。
【請求項１８】
ある所定の期間の後に情報・制御コンソールのハートビートを受け取ることができなかったゲートウェイ・インタフェースに応えて、情報・制御コンソールパケットをホストに再送することをさらに含む、請求項１７に記載の方法。
【請求項１９】
継続中のネットワークセッション中にサービスのユーザレベルを動的に変更する方法であって、
ネットワークセッション構成がホストに対してトランスペアレントである、コンピュータネットワークセッションを、ゲートウェイ・インタフェースを通じてホストにおいて確立することと、
ユーザ料金課金構成に関係する情報を含んでいるゲートウェイ・インタフェースにおいて、ネットワーク監視情報・制御コンソールパケットを前記ネットワークセッションの間に生成することと、
ネットワーク監視情報・制御コンソールパケットを該ネットワークセッションの間にホストへ送信することと、
ネットワーク監視情報・制御コンソールを該ネットワークセッションの間にホストのモニタ上に生成することと、
ネットワーク監視情報・制御コンソールにおいて提供されるネットワーク監視情報へのユーザの応答であって、前記サービスのユーザレベルを変更するという要求を含んでいるものである前記ユーザの応答を、該ゲートウェイインターフェースにおいて受け取ることと
を含む方法。
【請求項２０】
ネットワーク監視情報・制御コンソールパケットを前記ネットワークセッションの間に生成することが、接続速度に関係する情報を含んでいるものであるネットワーク監視情報・制御コンソールパケットを前記ネットワークセッションの間に生成することをさらに含む、請求項１９に記載の方法。
【請求項２１】
所定のネットワークへのアクセスを許可するためのホストをトランスペアレントに構成するゲートウェイ・インタフェースであって、
ネットワークのユーザに特有の情報・制御コンソールパケットを生成するプロセッサと、
ホストによって受信されるとともに、ネットワーク化されたホストに関連付けられたモニタにおいてユーザに特有の情報・制御コンソールを生成するものである、前記ユーザに特有の情報・制御コンソールパケットを前記ユーザーネットワークセッションの間にネットワーク化されたホストへと送信する制御装置と
を含んでなるゲートウェイ・インタフェース。
【請求項２２】
プロセッサは、情報・制御コンソールパケットを生成するために使用されるユーザに特有のデータを蓄積するためにデータベースと通信するものである、請求項２１に記載のゲートウェイ・インタフェース。
【請求項２３】
プロセッサは、情報・制御コンソールパケットを生成するために使用されるネットワークセッションに特有のデータを蓄積するためにデータベースと通信するものである、請求項２１に記載のゲートウェイ・インタフェース。
【手続補正２】
【補正対象書類名】明細書
【補正対象項目名】０００７
【補正方法】変更
【補正の内容】
【０００７】
さらに、ネットワークサービスプロバイダは、多様なサービス、経路選択及び料金課金オプションをユーザまたは加入者に提供することができる恩恵に浴す。速度及び価格設定スケールを変化させえｔサービスを提供することにより、ネットワークサービスプロバイダは、ネットワーク混雑を最小限に抑えることができる。つまり、ユーザまたは加入者の全員が１つの高速（かつ高コスト）のサービスに縛られるわけではない。ネットワークトラフィックを減らすことは、新しい加入者を惹きつけ、事前に存在する加入者が現状を維持することを保証するのに有益である。経済的な観点からは、サービス品質を差別化し、価格設定を使用量に応じて定めることで、ブロードバンドネットワークアクセスの使用及び配備が促進され、ネットワークサービスプロバイダの収入モデルが改善される。例えば、個人のＴＣＰセッションへの課金について述べている「ＴＣＰのユーザー課金と値段設定」エデル（Ｅｄｅｌｌ）等、８２７２ＩＥＥＥ Ｊｏｕｒｎａｌ ｏｎ Ｓｅｌｅｃｔｅｄ Ａｒｅａｓ ｏｆ Ｃｏｍｍｕｎｉｃａｔｉｏｎｓ １３ （１９９５年９月） Ｎｏ．７， 第１１６２−１１７５頁を参照のこと。こういった応用先では、ユーザまたは加入者は、単一レベルのサービス品質を提供する一律料金課金方式（ｆｌａｔ−ｒａｔｅ ｂｉｌｌｉｎｇ ｓｃｈｅｍｅ）にもう縛られることはない。一律の料金価格設定及び単一レベルのサービス品質のために、リソースが消費されるとともに、ネットワークの使用量が少ないユーザにヘビーユーザの使用料金を負担させることにより、ブロードバンドネットワークアクセスが幅広く使用されて社会に浸透する妨げとなる。さらに、差別化されたサービス品質及び使用量に基づいた価格設定を提供する能力は、ユーザのネットワークセッションを通してこれらの特徴をオンデマンドで、動的に提供することによって改善することができる。差別化されたサービスの品質及び料金課金方式をブロードバンドネットワーク環境に提供する必要性に関するさらに詳細な説明については、「インターネットアクセスの提供：インデックスから学ぶもの（Ｐｒｏｖｉｄｉｎｇ Ｉｎｔｅｒｎｅｔ Ａｃｃｅｓｓ： Ｗｈａｔ Ｗｅ Ｌｅａｒｎ Ｆｒｏｍ ＩＮＤＥＸ）」、インデックス（ＩＮＤＥＸ）プロジェクトレポート、１９９９年４月１６日（ｈｔｔｐ：／／ｗｗｗ．ＩＮＤＥＸ．Ｂｅｒｋｅｌｅｙ．ｅｄｕ／ｒｅｐｏｒｔｓ／９９−０１０Ｗ）、Ｒ．Ｊ．Ｅｄｅｌｌらを参照すること。この文書は、引用することにより、あたかもすべて本明細書中に述べられているかのように、明示的に、本願明細書の一部をなすものとする。